【事件の表示】
　特許第２９７９８７１号「携帯電話機」の請求項１、２に係る特許に対する特許異議の申立てについて、次のとおり決定する。
【結　論】
　訂正を認める。
　特許第２９７９８７１号の請求項１ないし２に係る特許を維持する。
【理　由】
第１．手続の経緯
　本件特許第２９７９８７１号の請求項１、２に係る発明についての出願は、平成４年１２月１８日に特許出願され、平成１１年９月１７日にその発明について特許の設定登録がなされ、その後、特許異議申立人児玉喜博より特許異議申立がなされ、取消理由通知がなされ、その指定期間内である平成１２年１０月３日に訂正請求がなされたものである。
第２．訂正の適否についての判断
　（１）訂正の目的の適否、新規事項の有無及び拡張・変更の存否
　特許権者が求めている訂正の内容は以下のア．イ．のとおりである。
　ア．訂正事項ａ
　　特許請求の範囲の請求項１に係る記載
「[請求項１]　少なくとも筐体の上方に引き出し、収納可能な棒状アンテナと、受話部とを備える携帯電話機において、
　前記棒状アンテナは前記筐体を構成する面のうち前記受話部を耳に当てて通話するときに使用者の側頭部に向き合う側の第1の面に対して傾斜して収納され、かつ前記棒状アンテナを前記筺体から上方に引き出したときにこの棒状アンテナの先端部が前記第1の面から後方に遠ざかるように取り付けられていることを特徴とする携帯電話機。」を、
「[請求項１]　少なくとも筐体の上方に引き出し、収納可能な棒状アンテナと、受話部とを備える携帯電話機において、
　前記棒状アンテナは前記筐体を構成する面のうち前記受話部を耳に当てて通話するときに使用者の側頭部に向き合う側
であって前記受話部の部分を除く
　イ．訂正事項ｂ
　特許明細書段落[００１０]の「本発明の携帯電話機は、少なくとも筐体の上方に引き出し、収納可能な棒状アンテナと、受話部とを備える携帯電話機において、前記棒状アンテナは前記筐体を構成する面のうち前記受話部を耳に当てて通話するときに使用者の側頭部に向き合う側の第1の面に対して傾斜して収納され、かつ前記棒状アンテナを前記筺体から上方に引き出したときにこの棒状アンテナの先端部が前記第1の面から後方に遠ざかるように取り付けられていることを特徴とする。」を、
　「本発明の携帯電話機は、少なくとも筐体の上方に引き出し、収納可能な棒状アンテナと、受話部とを備える携帯電話機において、前記棒状アンテナは前記筐体を構成する面のうち前記受話部を耳に当てて通話するときに使用者の側頭部に向き合う側
であって前記受話部の部分を除く
　次に前記訂正事項について検討すると、
　ウ. 前記訂正事項ａは、特許明細書の特許請求の範囲請求項１に記載された「使用者の側頭部に向き合う側の第1の面」をより下位概念である「使用者の側頭部に向き合う側
であって前記受話部の部分を除く
　そうすると、この訂正は、特許請求の範囲の滅縮を目的としてなされたものであり、また、願書に添付した明細書または図面に記載した事項の範囲内の訂正であり、実質上特許請求の範囲を拡張しまたは変更するものでもない。
　エ. 前記訂正事項ｂは、前記訂正事項ａの特許請求の範囲の減縮に対応して発明の詳細な説明を訂正したものであり、この訂正は、不明瞭な記載の釈明を目的としてなされたものであり、また、該訂正は、願書に添付した明細書または図面に記載した事項の範囲内の訂正であり、実質上特許請求の範囲を拡張しまたは変更するものでもない。
　（２）以上のとおりであるから、前記訂正は、特許法等の一部を改正する法律(平成６年法律第１１６号、以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。　
第３．特許異議の申立てについて
  （１）申立て理由の概要
　特許異議申立人　児玉喜博は、甲第１号証として実願昭６２−１２４４９１号の明細書及び図面を撮影したマイクロフィルム（実開昭６４‐２９９４３号公報参照）、甲第２号証として実願昭５９−５２１１３号の明細書及び図面を撮影したマイクロフィルム（実開昭６０‐１６３８４９号公報参照）、甲第３号証として、実願昭６０−１７２８６６号の明細書及び図面を撮影したマイクロフィルム（実開昭６２‐８０４５５号公報参照）を提示し、本件請求項１、２に係る発明は、甲第１号証〜甲第３号証に記載された発明に基づいて当業者が容易に発明することができたものであるから、特許法第２９条第２項の規定により特許を受けることができないものであり、特許法第１１３条第１項第２号の規定により取り消すべきものであると主張している。
  （２）本件発明
 前記　第２．で記載したように訂正が認められたので、本件請求項１、２に係る発明（以下、「本件第１発明」、「本件第２発明」という。）は、訂正明細書特許請求の範囲請求項１、２に記載された次のとおりのものである。
  [請求項１]　少なくとも筐体の上方に引き出し、収納可能な棒状アンテナと、受話部とを備える携帯電話機において、
　前記棒状アンテナは前記筐体を構成する面のうち前記受話部を耳に当てて通話するときに使用者の側頭部に向き合う側
であって前記受話部の部分を除く
　[請求項２]　前記棒状アンテナは多段構成をなし、前記筐体から引き延もまし量が多いほどこの棒状アンテナの先端部が前記第1の面から遠ざかることを特徴とする請求項1記載の携帯電話機。
　（３）甲各号証記載の発明
　ア．甲第１号証：実願昭６２−１２４４９１号の明細書及び図面を撮影したマイクロフィルム（実開昭６４‐２９９４３号公報参照）、
　
「使用時にアンテナと頭との距離が小さくなって、電波の送受特性が乱される不都合を回避するために、筐体の側面に、Ｌ字状のアンテナの一端を中心として回動自在に取り付けられ、使用時には、アンテナは回動されて筐体の前面より遠ざけられるように構成した無線電話機」
　イ．甲第２号証：実願昭５９−５２１１３号の明細書及び図面を撮影したマイクロフィルム（実開昭６０‐１６３８４９号公報参照）、
「ハウジング（１)の前面に傾斜部（１１）を形成し、この傾斜部（１１)にスピーカ（３)を設け、伸縮自在の多段構成のロッドアンテナ（１３)をハウジング（１)の後面から上方に突出させたハンドセット」
　ウ．甲第３号証：実願昭６０−１７２８６６号の明細書及び図面を撮影したマイクロフィルム（実開昭６２‐８０４５５号公報参照）、
  「送受話器本体（１）の前面に傾斜した送話部（２）と傾斜した受話部（３）を有し、送受話器本体(１)の上部に伸縮自在の多段構成のアンテナ（６）を設けた無線送受話器」
 （４）対比・判断
　（本件第１発明について）
  本件第１発明と甲第1〜３号証記載の発明を対比すると、各甲号証には、本件第１発明の、「前記棒状アンテナは前記筐体を構成する面のうち前記受話部を耳に当てて通話するときに使用者の側頭部に向き合う側
であって前記受話部の部分を除く
　そして、本件第１発明は、係る構成により、 収納可能な棒状アンテナを筐体に斜めに収容し、これを引き出したときに棒状アンテナ先端のエレメントが使用者の側頭部から遠ざかるようにしたので、使用者の頭部による電波吸収の影響が少なく抑えられ、アンテナの実質的な利得を高く保ったまま通話をすることができる、という特許明細書記載の作用効果を奏するものである。
　したがって、本件第１発明が、甲第１号証〜甲第３号証記載の発明に基づいて当業者が容易に発明することができたものとは認められない。
　（本件第２発明について）
　本件第２発明は、本件第１発明を引用しているものであるので、前記「（本件第１発明について）」で記載したのと同様の理由により、甲第１号証〜甲第３号証記載の発明に基づいて、当業者が容易に発明することができたものとすることはできない。
（５）以上のとおりであるから、本件特許異議申立の理由および証拠によっては、本件に係る請求項１、２に係る特許を取り消すことはできない。
　また、他に本件に係る請求項１、２に係る特許を取り消すべき理由を発見しない。
  よって、結論のとおり決定する。
【異議決定日】
平成１２年１１月９日（２０００．１１．９）
【訂正の要旨】
訂正の要旨
　特許請求の範囲の請求項１「少なくとも筐体の上方に引き出し、収納可能な棒状アンテナと、受話部とを備える携帯電話機において、前記棒状アンテナは前記筐体を構成する面のうち前記受話部を耳に当てて通話するときに使用者の側頭部に向き合う側の第１の面に対し傾斜して収納され、かつ前記棒状アンテナを前記筐体から上方に引き出したときにこの棒状アンテナの先端部が前記第１の面から後方に遠ざかるように取り付けられていることを特徴とする携帯電話機」を、
　「少なくとも筐体の上方に引き出し、収納可能な棒状アンテナと、受話部とを備える携帯電話機において、前記棒状アンテナは前記筐体を構成する面のうち前記受話部を耳に当てて通話するときに使用者の側頭部に向き合う側
であって前記受話部の部分を除く
　これに伴い、特許請求の範囲の記載と発明の詳細な説明の記載との整合をとるため、特許掲載公報第２頁左欄第２７乃至３５行目の記載「本発明の携帯電話機は、少なくとも筐体の上方に引き出し、収納可能な棒状アンテナと、受話部とを備える携帯電話機において、前記棒状アンテナは前記筐体を構成する面のうち前記受話部を耳に当てて通話するときに使用者の側頭部に向き合う側の第１の面に対し傾斜して収納され、かっ前記棒状アンテナを前記筐体から上方に引き出したときにこの棒状アンテナの先端部が前記第１の面から後方に遠ざかるように取り付けられていることを特徴とする」を明りょうでない記載の釈明を目的として、
　「本発明の携帯電話機は、少なくとも筐体の上方に引き出し、収納可能な棒状アンテナと、受話部とを備える携帯電話機において、前記棒状アンテナは前記筐体を構成する面のうち前記受話部を耳に当てて通話するときに使用者の側頭部に向き合う側
であって前記受話部の部分を除く
（５４）【発明の名称】
携帯電話機
（５７）【特許請求の範囲】
　　【請求項１】　少なくとも筺体の上方に引き出し、収納可能な棒状アンテナと、受話部とを備える携帯電話機において、
前記棒状アンテナは前記筺体を構成する面のうち前記受話部を耳に当てて通話するときに使用者の側頭部に向き合う側
であって前記受話部の部分を除く
　　【請求項２】　前記棒状アンテナは多段構成をなし、前記筺体からの引き延ばし量が多いほどこの棒状アンテナの先端部が前記第１の面からより多く遠ざかることを特徴とする請求項１記載の携帯電話機。
【発明の詳細な説明】
　　　【０００１】
　　【産業上の利用分野】
　本発明は携帯電話機に関し、特に棒状アンテナが筺体内に収納可能な構造の携帯電話機に
関する。
　　　【０００２】
　　【従来の技術】
　図３（ａ），（ｂ）は従来の携帯電話機の第１，第２の例における使用状態を示す側面図である。
　　　【０００３】
　図３（ｂ）における携帯電話機の筺体１ｂの厚みは同図（ａ）に示す携帯電話機機の筺体１ａより薄くなっている。
　　　【０００４】
　例えば図３（ａ）において、棒状アンテナ２ａは携帯電話機の筺体１ａを構成する面のうち、受話部３を使用者が耳に当てて使用しているときに、棒状アンテナ２ａの軸が使用者の側頭部に向き合う第１の面６およびその外側でこれと対向する第２の面７に対し実質的に平行に収納されていた。
　　　【０００５】
　従って、棒状アンテナ２ａを引き出したときにも、このアンテナ２ａの先端部のエレメント８とこれら第１，第２の面６，７との間隔は実質的に一定であった。なお、図３（ｂ）においてもこの間隔は実質的に一定である。
　　　【０００６】
　　【発明が解決しようとする課題】
　携帯電話機の小型化が進む中で、ポケットヘの収納性などへの配慮から筺体の薄型化が重要性を増している。
　　　【０００７】
　一方、一般に携帯電話機が備えている棒状アンテナは、図３に示すように、受話部３を耳に当てたときの上面に引き出されるため、図３（ａ）に示す第１の例と同図（ｂ）に示す第２の例から分かるように筺体が薄型になるほど、アンテナ先端のエレメントが使用者の側頭部に、より近接することになる。
　　　【０００８】
　人体の頭部は電波を吸収する性質があるので、アンテナエレメントが頭部に近づくほどこの影響を受けやすくなり、実質的なアンテナ利得が低下する。
　　　【０００９】
　従って、この従来の携帯電話機の構造では、携帯電話機を利用できるエリアが狭くなったり、また、携帯電話機に着信があって受話部を耳に当てた瞬間に回線が断となることもあるという問題点があった。
　　　【００１０】
　　【課題を解決するための手段】
　本発明の携帯電話機は、少なくとも筺体の上方に引き出し、収納可能な棒状アンテナと、受話部とを備える携帯電話機において、前記棒状アンテナは前記筺体を構成する面のうち前記受話部を耳に当てて通話するときに使用者の側頭部に向き合う側
であって前記受話部の部分を除く
　　　【００１１】
　また、前記棒状アンテナは多段構成をなし、前記筺体からの引き延ばし量が多いほどこの棒状アンテナの先端部が前記第１の面からより多く遠ざかることを特徴とする。
　　　【００１２】
　　【実施例】
　次に、本発明について図面を参照して説明する。図１は本発明の携帯電話機の第１の実施例を示す側面図である。
　　　【００１３】
　携帯電話機の筺体１に収納可能な棒状アンテナ２は受話部３を耳に当てて使用している際の上面４に取り付けられている。そして棒状アンテナ２は破線で示すように筺体１内に収納した状態では、使用者の側頭部に面した第１の面６およびその外側でこれと対向する第２の面７に対し傾斜しており、棒状アンテナ２を引き出した状態では実線で示すように棒状アンテナ２の先端部のエレメント８が第１の面６から遠ざかるように取り付けられている。
　　　【００１４】
　つまり、この使用中の状態では、エレメント８が使用者の側頭部から遠ざかるので、使用者の頭部によるアンテナ２の利得低下を小さく抑えることができる。なお、筺体１の下部には送話部５がある。
　　　【００１５】
　次に図２は本発明の携帯電話機の第２の実施例を示す側面図である。
　　　【００１６】
　筺体１０が折り畳み構造を持ち、かっ棒状アンテナ２０が２段に収縮する例を示している。そして使用するときは、送話部５が使用者の口の近傍に来るように筺体１０を延ばして図示の状態にする。
　　　【００１７】
　本実施例のその他の構造は第１の実施例と同様であり、従って第１の実施例と同等の効果を有する。そして、使用しないときに第１の実施例の携帯電話機より小型になる利点がある。
　　　【００１８】
　　【発明の効果】
　以上説明したように本発明の携帯電話機は、収納可能な棒状アンテナを筺体に斜めに収納し、これを引き出したときに棒状アンテナ先端のエレメントが使用者の側頭部から遠ざかるようにしたので、使用者の頭部による電波吸収の影響が少なく抑えられ、アンテナの実質的な利得を高く保ったまま通話をすることができる。
　　　【００１９】
　従って、従来の携帯電話機に比較してその利用可能エリアが拡大されるという効果を有する。
【図面の簡単な説明】
　　【図１】本発明の携帯電話機の第１の実施例を示す側面図である。
　　【図２】本発明の携帯電話機の第２の実施例を示す側面図である。
　　【図３】（ａ），（ｂ）は従来の携帯電話機の第１，第２の例を示す側面図である。
　　【符号の説明】
　１，１０，１ａ，１ｂ　　筺体
　２，２０，２ａ，２ｂ　　棒状アンテナ
　３　　受話部
　４　　上面
　５　　送話部
　６　　第１の面
　７　　第２の面
　８　　エレメント